(57)【要約】【課題】紙幣挿入部側と奥側にそれぞれ配置した回転輪に掛け渡されたエンドレスベルトの駆動によって、紙幣を紙幣挿入部から奥側に搬送する形態において、識別部と紙幣収納部の配置を特定することによって、左右幅がかなり制限された形態の台間玉貸機等の小型機器内に設置することに適した紙幣識別装置を提供するものである。【解決手段】長方形状の紙幣の長辺を上下にして紙幣を起立状態で一方の短辺側から挿入する縦形の紙幣挿入部と、紙幣挿入部側と奥側に配置した回転輪に掛け渡されたエンドレスベルトの駆動によって紙幣を奥側に搬送する往路と奥側の回転輪を回って紙幣挿入部側へ向けて搬送する復路とを形成した搬送装置と、この搬送装置で搬送される紙幣の真偽識別用検出部と、この検出部で検出された真正紙幣を収納する紙幣収納部を備え、検出部を復路に配置し、検出部よりも紙幣挿入部側に紙幣収納部を配置したこと。【選択図】図８
2008027289.tif 000002
【特許請求の範囲】
【請求項１】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置したことを特徴とする紙幣識別装置。
【請求項２】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置し、前記奥側に配置した回転輪の直径の投影範囲内に前記検出部が配置されたことを特徴とする紙幣識別装置。
【請求項３】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置し、前記紙幣挿入部側に配置した回転輪の直径に比して前記奥側に配置した回転輪の直径を大きくし、前記検出部を通るエンドレスベルトが他方のエンドレスベルトと平行状態となるように、前記奥側の回転輪と前記検出部の間において前記エンドレスベルトを変位させる押し圧ローラを備えたことを特徴とする紙幣識別装置。
【請求項４】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路に配置し、前記検出部よりも前記紙幣挿入部側に前記紙幣収納部を配置し、前記紙幣挿入部側に配置した回転輪の直径に比して前記奥側に配置した回転輪の直径を大きくし、前記奥側に配置した回転輪と前記検出部との間に前記奥側に配置した回転輪を回った前記エンドレスベルトを前記往路に位置するエンドレスベルトと平行状態となるように前記復路に位置するエンドレスベルトを変位させる押し圧ローラを備え、前記奥側に配置した回転輪の直径の投影範囲内に前記検出部が配置されたことを特徴とする紙幣識別装置。
【請求項５】
前記紙幣収納部は紙幣をその長辺を上下にして紙幣を起立状態で左右に積層収納する収納ボックスとし、この収納ボックスが左右方向へ開閉可能構成であることを特徴とする請求項１乃至請求項４のいずれかに記載の紙幣識別装置。
【請求項６】
前記紙幣収納部は紙幣をその長辺を上下にして紙幣を起立状態で左右に積層収納する収納ボックスとし、この収納ボックスが左右方向へ開閉可能で且つ取り外し自在であることを特徴とする請求項１乃至請求項４のいずれかに記載の紙幣識別装置。
【発明の詳細な説明】
【技術分野】
【０００１】
本発明は、挿入部から挿入された紙幣をエンドレスベルトの駆動によって紙幣識別部を通って紙幣収納部へ搬送する紙幣識別装置に関し、特に、遊技装置等の機器内に設置するための小型化に適する紙幣識別装置に関する。
【背景技術】
【０００２】
多数の遊技機が併設された遊技装置の接客面である前面から挿入された紙幣を、遊技装置の背面側に設置したベルト式搬送装置によって、遊技装置の一端側に設置した紙幣収納部へ搬送する遊技施設用紙幣搬送装置がある。（例えば、特許文献１参照）。
【０００３】
また、遊技機相互間に台間玉貸機が設置された遊技装置において、台間玉貸機の上方に設けられたパネル形態の接客面に形成した円孔に紙幣識別装置を収納し、この接客面に開口した挿入口から紙幣を縦方向にして挿入し、この挿入された紙幣を搬送ローラに巻き付けられた搬送ベルトによって奥側へ搬送し、この搬送中に挿入口に近く配置した紙幣識別部によって識別し、識別された紙幣は奥側のＵターン部を経て前方へ搬送され、紙幣識別部の側方に配置したプッシャ機構によって、側方に配置した収納庫へ紙幣を収納するものがある。（例えば、特許文献２参照）。
【特許文献１】特開２００３−３２５９４１号公報
【特許文献２】特開２００５−２７６０５２号公報
【発明の開示】
【発明が解決しようとする課題】
【０００４】
上記特許文献１の発明のシステムは、遊技施設用紙幣搬送装置が高価となるため、小型店舗には不向きである。また、特許文献２の発明のものは、挿入口近くに紙幣識別部が配置され、紙幣識別部の側方に配置したプッシャ機構によって、側方に配置した収納庫へ紙幣を収納する構成であるため、装置の左右幅が大きくなる。特許文献２においては、台間玉貸機の上方に設けられたパネル形態の接客面に形成した円孔に紙幣識別装置を収納しており、このように左右幅の設置余裕があるものへの適用は可能であるが、左右幅がかなり制限された形態の台間玉貸機等の小型機器内に設置する紙幣識別装置としては好ましくない。
【０００５】
本発明は、このような点に鑑みて、紙幣挿入部側と奥側にそれぞれ配置した回転輪に掛け渡されたエンドレスベルトの駆動によって、紙幣を紙幣挿入部から奥側に搬送する形態において、識別部と紙幣収納部の配置を特定することによって、左右幅がかなり制限された形態の台間玉貸機等の小型機器内に設置することに適した紙幣識別装置を提供するものである。
【課題を解決するための手段】
【０００６】
第１発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置したことを特徴とする。
【０００７】
第２発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置し、前記奥側に配置した回転輪の直径投影範囲内に前記検出部が配置されたことを特徴とする。
【０００８】
第３発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置し、前記紙幣挿入部側に配置した回転輪の直径に比して前記奥側に配置した回転輪の直径を大きくし、前記検出部を通るエンドレスベルトが他方のエンドレスベルトと平行状態となるように、前記奥側の回転輪と前記検出部の間において前記エンドレスベルトを変位させる押し圧ローラを備えたことを特徴とする。
【０００９】
第４発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路に配置し、前記検出部よりも前記紙幣挿入部側に前記紙幣収納部を配置し、前記紙幣挿入部側に配置した回転輪の直径に比して前記奥側に配置した回転輪の直径を大きくし、前記奥側に配置した回転輪と前記検出部との間に前記奥側に配置した回転輪を回った前記エンドレスベルトを前記往路に位置するエンドレスベルトと略平行状態となるように前記復路に位置するエンドレスベルトを変位させる回転ローラを備え、前記奥側に配置した回転輪の直径投影範囲内に前記検出部が配置されたことを特徴とする。
【００１０】
第５発明の紙幣識別装置は、第１発明乃至第４発明において、前記紙幣収納部は紙幣をその長辺を上下にして紙幣を起立状態で左右に積層収納する収納ボックスとし、この収納ボックスが左右方向へ開閉可能構成であることを特徴とする。
【００１１】
第６発明の紙幣識別装置は、第１発明乃至第４発明において、前記紙幣収納部は紙幣をその長辺を上下にして紙幣を起立状態で左右に積層収納する収納ボックスとし、この収納ボックスが左右方向へ開閉可能で且つ取り外し自在であることを特徴とする
【発明の効果】
【００１２】
第１発明では、このような各部の配置によって、紙幣識別装置の薄型化が達成でき、この紙幣識別装置が組み込まれる遊技媒体貸機等の機器の薄型化が達成できる。また、検出部が紙幣収納部の後方で搬送通路の奥部に配置できるため、紙幣挿入部から検出部の悪戯をし難く安全構造である。また、紙幣収納部が紙幣挿入部側に配置されるため、紙幣識別装置が収納された遊技媒体貸機等の機器の前面から、機器の前面板を開く等にて紙幣収納ボックスを引き出して、又は紙幣収納ボックスの紙幣をそのまま取り出すことができるようになり、紙幣の回収作業がし易くなる。
【００１３】
第２発明では、奥側に配置した回転輪の直径投影範囲内に検出部が配置されたことにより、紙幣識別装置の薄型化が達成でき、この紙幣識別装置が組み込まれる遊技媒体貸機等の機器の薄型化が達成できる。また、検出部が紙幣収納部の後方で搬送通路の奥部に配置できるため、紙幣挿入部から検出部の悪戯をし難く安全構造である。また、紙幣収納部が紙幣挿入部側に配置されるため、紙幣識別装置が収納された遊技媒体貸機等の機器の前面から、機器の前面板を開く等にて紙幣収納ボックスを引き出して、又は紙幣収納ボックスの紙幣をそのまま取り出すことができるようになり、紙幣の回収作業がし易くなる。
【００１４】
第３発明では、紙幣挿入部側に配置した回転輪の直径に比して奥側に配置した回転輪の直径を大きくし、押し圧ローラによって検出部を通るエンドレスベルトが他方のエンドレスベルトと平行状態となるように、奥側の回転輪と検出部の間においてエンドレスベルトを変位させるため、紙幣識別装置の薄型化が達成でき、この紙幣識別装置が組み込まれる遊技媒体貸機等の機器の薄型化が達成できる。また、紙幣収納部が紙幣挿入部側に配置されるため、紙幣識別装置が収納された玉貸機等の機器の前面から、機器の前面板を開く等して、紙幣収納部を形成するスタッカを引き出して、又は紙幣収納部の紙幣をそのまま取り出すことができるようになり、紙幣の回収作業がし易くなる。
【００１５】
第４発明では、第２発明及び第３発明の効果を併せ持つものとなる。
【００１６】
第５発明では、第１発明乃至第４発明の効果に加えて、収納ボックスを側方へ回動させることによって、収納ボックスへの紙幣押し込み開口が紙幣識別装置の筺体外に露出するため、収納ボックス内に蓄積した紙幣を筺体外に取り出すことが容易となる。
【００１７】
第６発明では、第１発明乃至第４発明の効果に加えて、収納ボックスを側方へ回動させることによって、収納ボックスへの紙幣押し込み開口が紙幣識別装置の筺体外に露出するため、収納ボックス内に蓄積した紙幣を筺体外に取り出すことが容易となる。また、収納ボックスを紙幣識別装置の筺体から取り外すことによって、収納ボックス内の紙幣の取り出しが更にし易いと共に、検出部や搬送装置等の紙幣識別装置内部の点検もし易くなる。
【発明を実施するための最良の形態】
【００１８】
本発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納する紙幣収納部を備えた紙幣識別装置において、前記検出部を前記復路又は前記往路に配置し、前記検出部よりも前記紙幣挿入部側に寄って前記復路に前記紙幣収納部を配置した構成であり、本発明の実施例を以下に記載する。
【実施例１】
【００１９】
次に、本発明の実施の形態について説明する。図１は本発明に係る紙幣識別装置を組み込んだ遊技媒体貸機の正面斜視図、図２は本発明に係る紙幣識別装置の正面図、図３は本発明に係る紙幣識別装置の左側面図、図４は本発明に係る紙幣識別装置の右側面図、図５は本発明に係る紙幣識別装置の平面図、図６は本発明に係る紙幣収納部を開いた状態の紙幣識別装置の平面図、図７は本発明に係る紙幣搬送通路開閉扉を開いた状態の紙幣識別装置の平面図、図８は本発明に係る紙幣識別装置の内部構成を示す平面図、図９は本発明に係る紙幣収納部と紙幣収納機構との関係を示す図８のＡ―Ａ箇所の縦断面図、図１０は本発明に係る紙幣収納機構が紙幣を収納しようとする位置へ作動した状態を示す図８のＡ―Ａ箇所の縦断面図、図１１は遊技装置の正面図である。
【００２０】
本発明の実施の形態を図に基づき説明する。本発明に係る紙幣識別装置１０が適用される装置の一つとして、図１１に示すように、遊技機１とその遊技機１相互の間に設置される遊技媒体の貸機２との併設で構成される遊技装置があり、本発明に係る紙幣識別装置１０は、この遊技媒体の貸機２内に組み込まれる。遊技媒体の貸機２は、遊技機１に使用する遊技媒体がパチンコ玉である場合は、そのパチンコ玉の貸機２であり、また、遊技機１に使用する遊技媒体がメダルである場合は、貸機２がメダルの貸機であり、いずれの場合も同様であるため、以下の実施例では、遊技媒体の貸機２を単に貸機２と称することとする。
【００２１】
貸機２は、その前面接客面に開口した紙幣挿入部１１へ所定額の紙幣１００を挿入することによって、所定数の遊技媒体（パチンコ玉やメダル）がその前面の払い出し口２Ｄへ払い出され、又はノズル（図示せず）を介して所定数の遊技媒体（パチンコ玉やメダル）が遊技機１の前面に設けた受け皿１Ｄへ払い出される。
【００２２】
貸機２内には、奥方向へ長い矩形状の筺体１２に各部が収納された紙幣識別装置１０が組み込まれている。紙幣識別装置１０は、長方形状の紙幣１００の長辺を上下にして紙幣を起立状態で一方の短辺側から挿入する縦形の紙幣挿入部１１が、接客面側である前面に開口している。そして、紙幣挿入部１１から挿入された紙幣１００を奥側に搬送する搬送装置１６は、紙幣挿入部１１側に配置した回転輪１３Ａと、奥側に配置した回転輪１３Ｂと、これら回転輪１３Ａと回転輪１３Ｂにそれぞれ掛け渡されたエンドレスベルト１４を備え、エンドレスベルト１４の駆動によって、紙幣挿入部１１から挿入された紙幣１００を搬送する搬送通路１５として、紙幣挿入部１１から挿入された紙幣１００を奥側に搬送する往路１５Ａと、奥側の回転輪１３Ｂを回って紙幣挿入部側へ向けて搬送する復路１５Ｂとを形成している。搬送通路１５は、往路１５Ａと、回転輪１３Ｂを回るＵターン部と、検出部１７を過ぎた復路１５Ｂの範囲までの間を搬送される紙幣１００の面に対向するように、搬送通路壁１５Ｈを形成している。また、搬送装置１６は、奥側に配置した回転輪１３Ｂを駆動輪とし、紙幣挿入部１１側に配置した回転輪１３Ａを従動輪として具備する。このため、搬送装置１６は、電動機（図示せず）とこの電動機によって回転する歯車機構（図示せず）を備えた駆動機構部３３によって、奥側に配置した回転輪１３Ｂを回転駆動し、それによってエンドレスベルト１４が回転駆動され、それに追随して回転輪１３Ａが回転する仕組みである。回転輪１３Ａと回転輪１３Ｂは、それぞれ紙幣１００の短辺方向の幅内に収まる間隔でもって軸１３Ａ１と軸１３Ｂ１に支持した上下一対で構成している。
【００２３】
紙幣識別装置１０は、更に、この搬送装置１６で搬送される紙幣１００の真偽を識別する識別部の検出部（センサ）１７と、この検出部１７で検出され前記識別部で識別された真正紙幣１００を収納する紙幣収納部１８を備えている。実施例の検出部１７は、発光部１９Ａと受光部１９Ｂで構成した光学検出部１９と、磁気ヘッド２０Ａとプッシャローラ２０Ｂで構成した磁気検出部２０とを備えているが、これに限定されない。光学検出部１９は、紙幣１００の印刷模様の濃淡に応じて発光部１９Ａから受光部１９Ｂへ到達する光量が異なることによって、紙幣１００の印刷模様を検出して紙幣１００の真偽を識別する。また、磁気検出部２０は、エンドレスベルト１４で搬送される紙幣１００がプッシャローラ２０Ｂで磁気ヘッド２０Ａへ押し圧され、その紙幣１００の印刷模様に使用されている磁気量を検出して紙幣１００の真偽を識別する。
【００２４】
検出部１７は搬送装置１６の復路１５Ｂに配置され、検出部１７よりも紙幣挿入部１１側に紙幣収納部１８が配置されている。また、紙幣挿入部１１側に配置した回転輪１３Ａの直径に比して奥側に配置した回転輪１３Ｂの直径が大きく、回転輪１３Ｂの直径が回転輪１３Ａの直径の略２倍であり、回転輪１３Ａの直径が７乃至８ｍｍであり、回転輪１３Ｂの直径が１４乃至１６ｍｍであり、実施例では、回転輪１３Ａの直径が７．５ｍｍであり、回転輪１３Ｂの直径が１５ｍｍである。これによって、回転輪１３Ａから回転輪１３Ｂまでの往路１５Ａは、直線状であり、紙幣挿入部１１から挿入された紙幣１００が、往路１５Ａを直線的に搬送される。この直線状の搬送状態を維持するために、搬送装置１６は、往路１５Ａのエンドレスベルト１４をそれぞれ左右から支える２１Ａと２１Ｂ、及び２２Ａと２２Ｂの一対の支持ローラで支持されている。
【００２５】
ローラ２１Ａ、２２Ａは、それぞれ軸２１Ａ１と軸２２Ａ１によって回転可能に支持された固定ローラであり、回転輪１３Ａと同じ直径でもって回転輪１３Ａと一直線上に配置されて、往路１５Ａを直線的に形成している。ローラ２１Ｂ、２２Ｂは、それぞれ対応するローラ２１Ａ、２２Ａに向けてバネ付勢された押し圧ローラである。ローラ２１Ａ、２２Ａは、それぞれ紙幣１００の短辺方向の幅内に収まる間隔でもって軸２１Ａ１と軸２２Ａ１に支持した上下一対で構成され、ローラ２１Ｂ、２２Ｂは、それぞれ紙幣１００の短辺方向の幅内に収まる間隔でもって軸２１Ｂ１と軸２２Ｂ１に支持した上下一対で構成している。また、搬送装置１６は、上下の回転輪１３Ａ、１３Ａに向けてそれぞれバネ付勢された上下の押し圧ローラ２３、２３でエンドレスベルト１４が押し圧されている。
【００２６】
搬送通路１５が紙幣識別装置１０の前後方向軸ＰＬに平行状態となるように、回転輪１３Ａの回転中心である軸１３Ａ１の中心よりも回転輪１３Ｂの回転中心である軸１３Ｂ１の中心が側方（図８では左方）へ偏移している。これによって、直線状の往路１５Ａは、前後方向軸ＰＬに平行状態である。
【００２７】
搬送装置１６の復路１５Ｂのエンドレスベルト１４が往路１５Ａのエンドレスベルト１４と平行状態となるように、即ち、奥側の回転輪１３Ｂを回ったエンドレスベルト１４を往路１５Ａに位置するエンドレスベルト１４と平行状態となるように、復路１５Ｂに位置するエンドレスベルトを変位させる押し圧ローラ２４を備えている。実施例では、検出部１７を通る復路１５Ｂのエンドレスベルト１４が、往路１５Ａのエンドレスベルト１４と平行状態となるように、押し圧ローラ２４は、回転輪１３Ｂと検出部１７近傍において、回転輪１３Ｂと検出部１７の間に配置され、検出部１７の上流側（エンドレスベルト１４の移動方向の上流側）で、復路１５Ｂのエンドレスベルト１４が押し圧されている。
【００２８】
上記のように、奥側に配置した回転輪１３Ｂの直径が前側の回転輪１３Ａの直径よりも大きいため、回転輪１３Ｂの直径の投影範囲内に検出部１７が配置された関係である。即ち、紙幣識別装置１０の前面または後面から搬送装置１６の搬送通路１５を見たとき、検出部１７が回転輪１３Ｂの直径の範囲内に入った状態である。このようにするために、上記の構成では、復路１５Ｂに配置した検出部１７よりも紙幣挿入部１１側に紙幣収納部１８を配置し、紙幣挿入部１１側に配置した回転輪１３Ａの直径に比して奥側に配置した回転輪１３Ｂの直径を大きくし、検出部１７を通るエンドレスベルト１４が往路１５Ａのエンドレスベルト１４と平行状態となるように、奥側の回転輪１３Ｂと検出部１７の間においてエンドレスベルト１４を変位させる押し圧ローラ２４を備えている。
【００２９】
このように、紙幣識別装置１０の前面又は後面から搬送装置１６の搬送通路１５を見たとき、検出部１７が回転輪１３Ｂの直径の範囲内に入った状態であるため、紙幣識別装置１０の薄型化が達成できる。
【００３０】
紙幣収納部１８は、検出部１７よりも紙幣挿入部１１側に寄った位置で搬送通路１５の復路１５Ｂに平行して配置されている。紙幣収納部１８は、後端部を筺体１２の上下壁から対向するように突出した上下軸２９に回動可能に支持した収納ボックス３０で構成されている。収納ボックス３０は、復路１５Ｂを通るエンドレスベルト１４に対面して紙幣１００の押し込み開口２８が形成され、復路１５Ｂを搬送された紙幣１００をそのままの姿勢で、即ち、長方形状の紙幣の長辺を上下にして紙幣１００を起立状態で左右方向に重ね合わせで収納される。
【００３１】
収納ボックス３０は、その底壁３０Ａ方向へ開口したＬ字状の係止溝３１が上下壁の後端部に形成されており、図８に示すように、筺体１２の上下壁から対向突出した上下軸２９が、このＬ字状の係止溝３１の開口から奥部へ入り込むように係止させた状態で、上下軸２９を中心として収納ボックス３０を筺体１２内に左右方向へ回動にて開閉可能であり、収納ボックス３０が筺体１２内に図８に示す状態に収納される。このように収納ボックス３０が筺体１２内に収納された状態を保持するための係止手段を適宜設けている。また、上下軸２９を中心として図８に示すＹ方向へ収納ボックス３０を回動させることによって、収納ボックス３０の押し込み開口２８が筺体１２外に露出するため、押し込み開口２８から収納ボックス３０内に蓄積した紙幣１００を筺体１２外に取り出すことができる。また、上下軸２９からＬ字状の係止溝３１の係止を外すことによって、収納ボックス３０は、筺体１２から取り外すことができる。
【００３２】
搬送通路１５の往路１５Ａと復路１５Ｂの上下壁を形成するように、往路１５Ａと復路１５Ｂを搬送される紙幣１００の上下両端部に対応して、上下のガイド部材２５Ａ、２５Ｂが配置されている。上下のガイド部材２５Ａ、２５Ｂは、往路１５Ａと復路１５Ｂ間を区画する壁２６と、復路１５Ｂと紙幣収納部１８を区画する壁２７を備えている。上下のガイド部材２５Ａ、２５Ｂの間にエンドレスベルト１４が配置され、復路１５Ｂの壁２７、２７相互間が紙幣１００の押し込み部３２となり、押し込み部３２を通して後述の押し込み機構４０によって、紙幣１００が押し込み開口２８から収納ボックス３０内へ押し込まれる。
【００３３】
駆動側回転輪１３Ｂを駆動する駆動部と、押し込み機構４０を駆動する駆動部とは、それぞれ電動機とそれによって回転する歯車機構からなり、それらを駆動機構部３３として表示している。
【００３４】
押し込み機構４０は、駆動機構部３３によって軸３６を中心として往復回転する上下配置のカム３４と、軸３７を中心として回動可能に支持され、それぞれ上下配置のカム３４の円周部に設けた突起３５に嵌まり合う溝３８を形成した上下配置のリンク３９を備え、上下配置のリンク３９の側面にはそれぞれガイド部材２５Ａ、２５Ｂが取り付けられた構成である。
【００３５】
この構成において、紙幣挿入部１１に対する紙幣１００の挿入待機状態では、ガイド部材２５Ａ、２５Ｂは、図９の実線位置で待機している。この状態において、紙幣挿入部１１に紙幣１００の先端部が挿入されると、紙幣挿入部１１の近傍奥に配置した挿入検知部４１がその紙幣１００の挿入を検知し、前記電動機が正方向回転始動して駆動機構部３３の動作によって駆動側回転輪１３Ｂが正方向回転し、エンドレスベルト１４が駆動してその紙幣１００が搬送通路１５の往路１５Ａを搬送される。この往路１５Ａの終端部から回転輪１３Ｂを回り、搬送通路１５の復路１５Ｂに搬送されて押し圧ローラ２４を通って検出部１７を通過しつつ、検出部１７で検出した紙幣１００の模様や材質のデータが読み取られ、このデータに基づき識別部において真偽判定される。復路１５Ｂに搬送された紙幣１００は、一旦、紙幣収納部１８に対応した位置まで搬送され、その時点で待機するよう前記電動機が停止して搬送が停止する。この紙幣１００の待機位置は、図９の１００Ａの状態である。
【００３６】
もし、この真偽判定によって偽紙幣と判定されれば、前記電動機が逆方向回転して駆動機構部３３の動作によって駆動側回転輪１３Ｂが逆方向回転し、エンドレスベルト１４が逆方向駆動されて、その紙幣１００が搬送通路１５の復路１５Ｂから往路１５Ａを経て、紙幣挿入部１１に返却される。一方、紙幣１００が真偽判定によって真正紙幣と判定されれば、紙幣収納部１８に対応した位置で待機していた紙幣１００は、前記電動機が始動して駆動機構部３３の動作によって上下配置のカム３４が回転する。このカム３４の正方向回転によって、上下配置のリンク３９は突起３５が溝３８をスライドする関係によって押されつつ軸３７を中心として正方向回動し、図１０に示す所定位置でスイッチ（図示せず）が作動して駆動機構部３３の前記電動機の正方向回転を停止する。この回動に伴って、ガイド部材２５Ａ、２５Ｂの壁２７、２７は、紙幣１００の上下両端を曲げながら押し退けつつ、壁２７、２７が紙幣１００の上下両端を通り過ぎた位置で、カム３４の回転が停止されように制御される。この状態で、曲げられた紙幣１００の上下両端は、自己の復元力によって図１０に示すように元の方向へ戻る。
【００３７】
次に、前記電動機が逆方向回転して駆動機構部３３の動作によって、カム３４の逆方向回転によって、上下配置のリンク３９は突起３５が溝３８をスライドする関係によって押されつつ軸３７を中心として逆方向回動する。この回動によって壁２７、２７の先端部である押し込み部２７Ａが紙幣１００の上下両端部付近を収納ボックス３０方向へ押すため、紙幣１００が押し込み開口２８を通って収納ボックス３０内へ押し込まれる。カム３４の逆方向回転は、待機位置に復帰したとき、スイッチ（図示せず）が作動して、駆動機構部３３の前記電動機の逆方向回転を停止する。この状態が図９の状態である。
【００３８】
このようにして、挿入された真正紙幣１００は、順次収納ボックス３０内へ押し込まれて積層状態で蓄積される。収納ボックス３０内には、板バネ４２で押し込み開口２８の方向へ付勢された可動底板４３を備えている。このため、上記のように押し込み部２７Ａによって収納ボックス３０内へ押し込まれた紙幣１００は、可動底板４３によって押し込み開口２８へ向けて付勢され、蓄積された最上部の紙幣１００の上下両端部付近は、図９に示すように、押し込み部２７Ａに当接する状態に保持される。
【００３９】
この状態において、前述のように、ガイド部材２５Ａ、２５Ｂが図１０の状態へ回動したときは、蓄積された最上部の紙幣１００から押し込み部２７Ａが離れるため、可動底板４３によって押し込み開口２８の方向へ付勢された蓄積紙幣１００のうち、最上部の紙幣１００が収納ボックス３０の押し込み開口２８縁部に形成したストッパ４４に当接して、押し込み開口２８からの飛び出しが防止される。また、上記のように、ガイド部材２５Ａ、２５Ｂの回動によって押し込み部２７Ａが紙幣１００の上下両端部付近を収納ボックス３０方向へ押すとき、板バネ４２に抗して可動底板４３が押し込まれ、紙幣１００が押し込み開口２８を通って収納ボックス３０内へ押し込まれる。
【００４０】
上記のように、紙幣識別装置１０は、筺体１２内に、搬送装置１６と、検出部１７と、紙幣収納部１８と、駆動機構部３３と、押し込み機構４０を組み込んでおり、検出部１７を復路１５Ｂに配置し、検出部１７よりも紙幣挿入部１１側に紙幣収納部１８を配置している。これによって、紙幣識別装置１０の左右幅を小さくできる。その具体的な一つの構成として、紙幣挿入部１１側に配置した回転輪１３Ａの直径に比して奥側に配置した回転輪１３Ｂの直径を大きくし、検出部１７を通るエンドレスベルト１４が往路１５Ａのエンドレスベルト１４と平行状態となるように、奥側の回転輪１３Ｂと検出部１７の間において、エンドレスベルト１４を変位させる押し圧ローラ２４を備えることによって、紙幣識別装置１０の前面又は後面から搬送装置１６の搬送通路１５を見たとき、検出部１７が回転輪１３Ｂの直径の投影範囲内に入る配置ができ、紙幣識別装置１０の薄型化が達成できる。このため、左右幅が４０ｍｍの貸機２内に組み込む紙幣識別装置１０を作製できることとなり、収納ボックス３０内に紙幣１００を略１００枚収納できる構成にできる。
【００４１】
また、紙幣収納部１８の収納ボックス３０は、側方へ回動にて開くことができると共に、収納ボックス３０は、筺体１２から取り外すことができる。紙幣識別装置１０は、貸機２内の収納部へ、貸機２の前面から挿入によって組み込まれ、前面から引き出し自在であり、このため、修理、点検などをし易い構成である。紙幣識別装置１０は、貸機２内の収納部４７へ組み込まれた状態を図１に示しており、貸機２の前面には、上部をヒンジ装置によって回動自在に支持されたカバー４６によって、貸機２内の収納部４７に組み込まれた紙幣識別装置１０の前面を覆う。カバー４６には、紙幣挿入部１１に連通した紙幣挿入用開口４８が形成され、紙幣識別装置１０の前面を覆った状態で、カバー４６は錠装置４９によって、貸機２に保持され、この状態で収納ボックス３０内の紙幣１００を抜き取ることはできない。
【００４２】
収納ボックス３０の前面を図１に示すように大きく開放した構造とすることによって、錠装置４９を外し、カバー４６を図１に示すように上方へ回動させた状態で、収納ボックス３０内の紙幣１００を左右から手指で掴んで前方へ取り出すことができる。また、カバー４６を図１に示すように上方へ回動させた状態で、収納ボックス３０全体が貸機２の前方へ露出する位置まで、紙幣識別装置１０が引き出せる構成である。この引き出し状態において、上下軸２９を中心として図６及び図８に示すように、Ｙ方向へ収納ボックス３０を回動させることによって、収納ボックス３０の押し込み開口２８が筺体１２外に露出するため、押し込み開口２８から収納ボックス３０内に蓄積した紙幣１００を筺体１２外に取り出すことができる。また、この引き出し状態において、上下軸２９からＬ字状の係止溝３１の係止を外すことによって、収納ボックス３０は、筺体１２から取り外すことができるため、この状態でも収納ボックス３０内の紙幣１００を取り出すことができる。
【００４３】
搬送装置１６の搬送通路１５の修理、点検等のし易さのために、図７に示すように、往路１５Ａ側の筺体１２の側壁の一部分が開閉扉１２Ａで構成されている。このため、搬送通路１５に紙幣１００が詰ったときの紙幣１００の取り除きや、回転輪１３の状況確認等は、貸機２から紙幣識別装置１０を引き出した状態で行うことができる。また図７に示すように、検出部１７も光学検出部１９と磁気検出部２０を一つのケース１７Ｂに収納したユニット構成であるため、このユニットのケース１７Ｂが筺体１２に軸支持部１７Ａを中心に開閉できる構成であり、貸機２の前方へ紙幣識別装置１０を引き出した状態で、ユニットを開くことによって検出部１７の点検、修理等ができるようになっている。
【００４４】
上記の構成では、往路１５Ａのエンドレスベルト１４は直線状であって、復路１５Ｂのエンドレスベルト１４を奥側の回転輪１３Ｂの手前側で押し圧ローラ２４によって押し、検出部１７が復路１５Ｂにおいて回転輪１３Ｂの直径の投影範囲内に入る配置であるが、この構成に替えて、往路１５Ａのエンドレスベルト１４を奥側の回転輪１３Ｂの手前側で押し圧ローラ２４によって押して復路１５Ｂのエンドレスベルト１４と平行状態となるように偏移させ、検出部１７が押し圧ローラ２４の手前側の往路１５Ａにおいて、回転輪１３Ｂの直径の投影範囲内に入る配置とし、紙幣収納部１８を検出部１７よりも紙幣挿入部１１側に寄って復路１５Ｂに配置する構成とすることができる。
【００４５】
このように構成することによって、紙幣識別装置１０の前面又は後面から搬送装置１６の搬送通路１５を見たとき、検出部１７が回転輪１３Ｂの直径の投影範囲内に入る配置ができ、紙幣識別装置１０の薄型化が達成できる。このため、左右幅が狭い貸機２内に組み込む紙幣識別装置１０を作製できることとなる。
【産業上の利用可能性】
【００４６】
本発明は、上記実施形態に限定されず、本発明の技術的範囲を逸脱しない限り種々の変更が考えられ、それに係る種々の実施形態を包含するものである。本発明の紙幣識別装置は、遊技機器のみならず、自動販売機内の左右幅が制限される部分への設置においても適用可能である。
【図面の簡単な説明】
【００４７】
【図１】本発明に係る紙幣識別装置を組み込んだ遊技媒体貸機の正面斜視図である。（実施例１）
【図２】本発明に係る紙幣識別装置の正面図である。（実施例１）
【図３】本発明に係る紙幣識別装置の左側面図である。（実施例１）
【図４】本発明に係る紙幣識別装置の右側面図である。（実施例１）
【図５】本発明に係る紙幣識別装置の平面図である。（実施例１）
【図６】本発明に係る紙幣収納部を開いた状態の紙幣識別装置の平面図である。（実施例１）
【図７】本発明に係る紙幣搬送通路開閉扉を開いた状態の紙幣識別装置の平面図である。（実施例１）
【図８】本発明に係る紙幣識別装置の内部構成を示す平面図である。（実施例１）
【図９】本発明に係る紙幣収納部と紙幣収納機構との関係を示す縦断面図である。（実施例１）
【図１０】本発明に係る紙幣収納機構が紙幣を収納しようとする位置へ作動した状態を示す縦断面図である。（実施例１）
【図１１】本発明に係る遊技装置の正面図である。（実施例１）
【符号の説明】
【００４８】
１・・・・遊技機
２・・・・遊技媒体の貸機
１０・・・紙幣識別装置
１１・・・紙幣挿入部
１２・・・筺体
１３Ａ・・従動側回転輪
１３Ｂ・・駆動側回転輪
１４・・・エンドレスベルト
１５・・・搬送通路往路１５Ａと復路
１５Ａ・・搬送通路の往路
１５Ｂ・・搬送通路の復路
１６・・・搬送装置
１７・・・検出部
１８・・・紙幣収納部
１９・・・光学検出部
２０・・・磁気検出部
２４・・・押し圧ローラ
２５Ａ、２５Ｂ・・・ガイド部材
２７Ａ・・押し込み部
２８・・・押し込み開口
２９・・・上下軸
３０・・・収納ボックス
３１・・・Ｌ字状の係止溝
３３・・・駆動機構部
３４・・・カム
３５・・・突起
３６・・・軸
３７・・・軸
３８・・・溝
３９・・・リンク
４０・・・押し込み機構
１００・・紙幣
【図１】
2008027289.tif 000003
【図２】
2008027289.tif 000004
【図３】
2008027289.tif 000005
【図４】
2008027289.tif 000006
【図５】
2008027289.tif 000007
【図６】
2008027289.tif 000008
【図７】
2008027289.tif 000009
【図８】
2008027289.tif 000010
【図９】
2008027289.tif 000011
【図１０】
2008027289.tif 000012
【図１１】
2008027289.tif 000013